(57)【要約】      （修正有）【課題】組立工程を加速し、コストを下げるランプホルダーの構造を提供する。  【解決手段】主に放熱ランプホルダー１、ボックスカバー２を含む。該ランプホルダーは一つのランプのほや１１を含み、該ランプのほやの外回りに複数の放熱シート１２を含む。また、各放熱シートに一つの係止端１２１を具有し、該係止端に一つの穴１２２を具有する。また、該ボックスカバーは一つの中空の本体であり、該放熱ランプホルダーと対応して組成し、該ボックスカバーは一つの円形蓋２１を具有し、各放熱シートの係止端と互いにしっかり掛合して組成する。該円形蓋は該放熱シートの係止端と互いに結合することで、該放熱シートの係止端が変形し、及び該係止端の一部が該円形蓋としっかりと抵触することで、直接互いの位置を固定する。【選択図】図１
0003176995.tif 000002
【実用新案登録請求の範囲】
【請求項１】
放熱ランプホルダー、ボックスカバーを含み、
該一つのランプホルダーに少なくとも含むのは複数の放熱シートであり、それを該ランプホルダーの外周縁の面に設置し、各放熱シートに一つの係止端を具有し、
該一つのボックスカバーは一つの中空の本体であり、該放熱ランプホルダーと対応して組成し、該ボックスカバーは一つの円形蓋を具有し、各放熱シートの係止端と互いにしっかり掛合して組成し、
該円形蓋は該放熱シートの係止端と互いに結合することで、該放熱シートの係止端が変形し、及び該係止端の一部が該円形蓋と抵触することで、直接互いの位置を固定することを特徴とするランプホルダーの構造。
【請求項２】
前記放熱シートの該係止端の近くに一つの掛合端を具有し、且つ該円形蓋の底辺と互いに貼合することを特徴とする請求項１記載のランプホルダーの構造。
【請求項３】
該ランプホルダーは更に一つのランプのほやを含み、及び該ランプのほやの外回りに複数の凹槽を設けることで、各放熱シートを設置することを特徴とする請求項１記載のランプホルダーの構造。
【請求項４】
前記ランプのほやの両端にそれぞれ一つの収納スペース及び一つの組成スペースを具有することを特徴とする請求項３記載のランプホルダーの構造。
【請求項５】
前記組成スペースの内壁面に更に凹部を具有することを特徴とする請求項４記載のランプホルダーの構造。
【請求項６】
前記ランプのほや内に一つの穴を具有し、それによって該収納スペースと組成スペースが互いに連通することを特徴とする請求項４記載のランプホルダーの構造。
【請求項７】
前記該円形蓋は上向きに一つの円形カバーを延伸し、且つ複数の放熱シートの縁と貼合することを特徴とする請求項１記載のランプホルダーの構造。
【請求項８】
前記円形蓋の断面はＬ字型であることを特徴とする請求項１記載のランプホルダーの構造。
【請求項９】
前記係止端に更に一つの穴を具有することで、係止端の一部が変形して該穴に延伸するため、該穴も変形することを特徴とする請求項１記載のランプホルダーの構造。
【請求項１０】
前記係止端に更に一つの溝を具有することで、係止端の一部が変形して該溝に延伸するため、該溝も変形することを特徴とする請求項１記載のランプホルダーの構造。
【請求項１１】
前記係止端に更に一つの窪みを具有することで、係止端の一部が変形して該窪みに延伸するため、該窪みも変形することを特徴とする請求項１記載のランプホルダーの構造。
【考案の詳細な説明】
【技術分野】
【０００１】
本考案はランプホルダーの構造に関し、特にランプホルダーとボックスカバーの組成構造に関する。
【背景技術】
【０００２】
照明装置が生じる熱効果は避けることができず、現代のテクノロジーでは既に照明装置の電子部品を改善しても、発熱効果は尚も各電子部品が運行する際に必ず生じる状態であり、改善できても根絶することができないため、照明装置に放熱装置を設置するのは、必須の手段となっている。
【０００３】
よって、放熱シートを通じて照明装置の放熱を行うのが一般的な手段の一つであり、熱伝導作用によって熱エネルギーを各放熱シートに伝えてから放熱シートが空気と熱交換を行うことで、照明装置の作業温度を保つ。多くの照明装置の放熱デザインは放熱シートを一つの放熱台座に設計し、照明ランプをその中に設置することで、放熱台座が一つのランプホルダーの形態となり、更にランプホルダーの前端にボックスカバーを設置して、照明装置の全体を美化するデザインにしている。
【０００４】
しかし、従来技術の放熱ランプホルダーとボックスカバーは互いに対応する組成構造がなく、放熱ランプホルダーとボックスカバーを組立てるために、粘着剤或いはロールフープの方法など、その他の組合せ材料を介して加工して組立てる。この方法はコストが増えるほか、外れやすいため、組立工程が更に複雑化する。また、台湾の実用新案第Ｍ３８９８２６号では、放熱ランプホルダーとボックスカバーに、対応して嵌合組立する構造のデザインを考案したが、この方法では、製作時に構造の精密度の要求が更に高くなり、組立時の不良率の問題を避けるために、コスト及び組立工程の負担が増えることなどを鑑みて、更なる改善が必要であった。
【先行技術文献】
【特許文献】
【０００５】
【特許文献１】特開２００４−３５５９００号公報
【考案の概要】
【考案が解決しようとする課題】
【０００６】
前記公知構造の欠点を解決するため、本考案はボックスカバーと数枚の放熱シートの構造を利用し、加工組立時に直接ボックスカバーと数枚の放熱シートを緊迫して設置することで、各放熱シートの構造が直接しっかりと該ボックスカバーの内部に抵触して当該相対位置と結合且つ固定することで、コストの引き下げ及び組立工程を加速し、生産高及び歩留り率を上げるランプホルダーの構造を提供することを主な課題とする。
【課題を解決するための手段】
【０００７】
前記課題を解決するために、本考案は放熱ランプホルダーを提供するものである。主に放熱ランプホルダー、ボックスカバーを含む構造である。該ランプホルダーは一つのランプのほやを含み、該ランプのほやの外回りに複数の放熱シートを含む。また、各放熱シートに一つの係止端を具有し、該係止端に一つの穴を具有する。また、該ボックスカバーは一つの中空の本体であり、該放熱ランプホルダーと対応して組成し、該ボックスカバーは一つの円形蓋を具有し、各放熱シートの係止端と互いに掛合して組成する。該円形蓋は該放熱シートの係止端と互いに結合することで、該放熱シートの係止端が変形し、及び該係止端の一部が該円形蓋としっかりと抵触することで、直接互いの位置を固定する。
本考案は下記の特徴を有する。
（１）放熱ランプホルダー、ボックスカバーを含み、
該一つのランプホルダーに少なくとも含むのは複数の放熱シートであり、それを該ランプホルダーの外周縁の面に設置し、各放熱シートに一つの係止端を具有し、
該一つのボックスカバーは一つの中空の本体であり、該放熱ランプホルダーと対応して組成し、該ボックスカバーは一つの円形蓋を具有し、各放熱シートの係止端と互いにしっかり掛合して組成し、及び、
該円形蓋は該放熱シートの係止端と互いに結合することで、該放熱シートの係止端が変形し、及び該係止端の一部が該円形蓋と抵触することで、直接互いの位置を固定することを特徴とするランプホルダーの構造。
（２）前記放熱シートの該係止端の近くに一つの掛合端を具有し、且つ該円形蓋の底辺と互いに貼合することを特徴とする（１）記載のランプホルダーの構造。
（３）該ランプホルダーは更に一つのランプのほやを含み、及び該ランプのほやの外回りに複数の凹槽を設けることで、各放熱シートを設置することを特徴とする（１）記載のランプホルダーの構造。
（４）前記ランプのほやの両端にそれぞれ一つの収納スペース及び一つの組成スペースを具有することを特徴とする（３）記載のランプホルダーの構造。
（５）前記組成スペースの内壁面に更に凹部を具有することを特徴とする（４）記載のランプホルダーの構造。
（６）前記ランプのほや内に一つの穴を具有し、それによって該収納スペースと組成スペースが互いに連通することを特徴とする（４）記載のランプホルダーの構造。
（７）前記該円形蓋は上向きに一つの円形カバーを延伸し、且つ複数の放熱シートの縁と貼合することを特徴とする（１）記載のランプホルダーの構造。
（８）前記円形蓋の断面はＬ字型であることを特徴とする（１）記載のランプホルダーの構造。
（９）前記係止端に更に一つの穴を具有することで、係止端の一部が変形して該穴に延伸するため、該穴も変形することを特徴とする（１）記載のランプホルダーの構造。
（１０）前記係止端に更に一つの溝を具有することで、係止端の一部が変形して該溝に延伸するため、該溝も変形することを特徴とする（１）記載のランプホルダーの構造。
（１１）前記係止端に更に一つの窪みを具有することで、係止端の一部が変形して該窪みに延伸するため、該窪みも変形することを特徴とする（１）記載のランプホルダーの構造。
【考案の効果】
【０００８】
本考案はボックスカバーと数枚の放熱シートの構造を利用し、加工組立時に直接ボックスカバーと数枚の放熱シートを緊迫して設置することで、各放熱シートの構造が直接しっかりと該ボックスカバーの内部に抵触して当該相対位置と結合且つ固定することで、コストの引き下げ及び組立工程を加速し、生産高及び歩留り率を上げる。
【図面の簡単な説明】
【０００９】
【図１】本考案の立体構造略図である。
【図２】本考案の立体構造上視図である。
【図３】本考案の組立断面略図である。
【図４】本考案の局部組立断面拡大図である。
【図５】本考案の組立完成図である。
【図６】本考案の使用状態図である。
【図７】本考案の第２実施例の組立断面略図である。
【図８】本考案の第３実施例の組立断面略図である。
【考案を実施するための形態】
【実施例】
【００１０】
図１に示すのは、本考案の立体構造略図である。図に示すように、本考案のランプホルダーの組成構造は主に一つの放熱ランプホルダー１及び一つのボックスカバー２を含む。該放熱ランプホルダー１は一つのランプのほや１１を含み、該ランプのほや１１は円柱状を呈し、該内部の両端の片端は一つの収納スペース１１１を具有し、別端は一つの組成スペース１１２を具有する。図２の立体構造上視図に示すように、該組成スペース１１２の円形状スペースの内壁面に沿って凹部１１３を具有し、また該ランプのほや１１の内部に一つの穴１１４を具有する。該穴１１４は該ほやの軸心の位置に対応して開けることで該収納スペース１１１と組成スペース１１２が互いに連通する。また、該ランプのほや１１の外回りの表面に複数の凹槽１１５を設け、各凹槽１１５はそれぞれ一つの放熱シート１２を接続する。各放熱シート１２にはそれぞれ一つの外側に突出する係止端１２１を具有し、該係止端１２１に一つの穴１２２を開ける。また、該放熱シート１２の該係止端１２１の近くに一つの掛合端１２３を具有する。該ボックスカバー２は一つの中空の本体であり、一つの円形蓋２１を具有し、該放熱ランプホルダー１に対応して組成する。図３に示すように、該円形蓋２１は各放熱シート１２の係止端１２１に対応して組成するものであり、且つ該円形蓋２１は図３の組成断面略図に示すように、該断面はＬ字型である。該円形蓋２１は上向きに一つの円形カバー２２を延伸し、且つ複数の放熱シート１２の上縁を覆うことで、各放熱シート１２との相対位置を固定する。
【００１１】
図３及び図４に示すのは、本考案の組成断面略図及び局部の組成断面拡大図である。図に示すように、該ボックスカバー２は該放熱ランプホルダー１に対応して接続し、該ボックスカバー２の円形蓋２１は該放熱シート１２の係止端１２１の位置に対応する。該円形蓋２１が該係止端１２１と互いに組成する際、該係止端１２１は該円形蓋２１に押されて変形すると同時に、該係止端１２１が生じる一部の変形は該穴１２２に延伸することで、該穴１２２もまた変形する。また、該一部の係止端１２１はしっかりと該円形蓋２１の内壁面に抵触し、図４の断面図に示すように、最後には該円形蓋２１の底辺は該放熱シート１２の掛合端１２３に抵触し、同時に該円形カバー２２はしっかりと各放熱シート１２の縁と抵触すれば、該放熱ソケット１とボックスカバー２の組成が完成し、完成図は図５に示す通りである。続いて図６に示す使用状態図のように、組成スペース１１２では該凹部１１３を利用し、口金３の嵌套部３１と対応して組成定位するため、該放熱ランプホルダー１を使用する際に、該ボックスカバー２は固定作用を発揮し、それによって各放熱シート１２は全て当該位置を保持して放熱効果を発揮すると同時に、美観と保護の役割をも担う。
【００１２】
図７に示すのは、本考案の第２実施例の組成断面略図である。図に示すように、前記の放熱シート１２に穴１２２をあけることで変形をしやすくするほか、本実施例に示すように、該放熱シート１２の係止端１２１に一つの溝１２２aを空けることで、該円形蓋２１を該放熱シート１２の係止端１２１と互いに組成する際に、該放熱シート１２が生じる一部の変形が該溝１２２aの生じるスペースにまで延伸することで、該放熱シート１２と円形蓋２１が互いに係止する。また、図８に示す第３実施例の組成断面略図に示すように、前記の溝１２２aの代わりに、該放熱シート１２の係止端１２１に一つの窪み１２２ｂをあけると、前記の溝１２２aと同じ変形と係止作用を具有する。
【００１３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１４】
１  放熱ランプホルダー
１１  ランプのほや
１１１  収納スペース
１１２  組成スペース
１１３  凹部
１１４  穴
１１５  凹槽
１２  放熱シート
１２１  係止端
１２２  穴
１２２a  溝
１２２b  窪み
１２３  掛合端
２  ボックスカバー
２１  円形蓋
２２  円形カバー
３  口金
３１  嵌套部
【図１】
0003176995.tif 000003
【図２】
0003176995.tif 000004
【図３】
0003176995.tif 000005
【図４】
0003176995.tif 000006
【図５】
0003176995.tif 000007
【図６】
0003176995.tif 000008
【図７】
0003176995.tif 000009
【図８】
0003176995.tif 000010